(57)【要約】【課題】ユーザ夫々の顔の個性を把握するための顔分析ツールを提供すること。【解決手段】ユーザの顔を分析するフィルムであって、黒目に対応する所定直径の円を単位円として、１以上の当該単位円に基づいて配置される、前記ユーザの両目と比較する第１の指標と、を含むフィルム。また、前記第１の指標を含むフィルムとは別のフィルムであって、前記ユーザの顔の長さをＮ段階（Ｎは１以上の整数値）で特定する種類の第１種フィルムと、前記第１の指標を含む、顔のパーツの配置バランスを特定する種類の第２種フィルムであって、前記Ｎ段階の顔の長さの夫々に対応するＮ種類の前記第２種フィルムと、を備えるフィルム。【選択図】図１
2019068872.tif 000002
【特許請求の範囲】
【請求項１】
ユーザの顔を分析するフィルムであって、
黒目に対応する所定直径の円を単位円として、１以上の当該単位円に基づいて配置される、前記ユーザの両目と比較する第１の指標と、
を含むフィルム。
【請求項２】
前記第１の指標を含むフィルムとは別のフィルムであって、前記ユーザの顔の長さをＮ段階（Ｎは１以上の整数値）で特定する種類の第１種フィルムと、
前記第１の指標を含む、顔のパーツの配置バランスを特定する種類の第２種フィルムであって、前記Ｎ段階の顔の長さの夫々に対応するＮ種類の前記第２種フィルムと、
を備えるフィルム。
【請求項３】
前記ユーザの顔の幅を特定する種類の第３種フィルムであって、前記Ｎ段階の顔の長さの夫々に対応するＮ種類の前記第３種フィルムと、
をさらに備える請求項２に記載のフィルム。
【請求項４】
前記ユーザの眉下の長さを特定する種類の第４種フィルムと、
をさらに備える請求項１乃至３のうち何れか１項に記載のフィルム。
【請求項５】
ユーザの顔を分析する顔分析装置であって、
黒目に対応する所定直径の円を単位円として、１以上の当該単位円に基づいて、前記ユーザの両目の間隔と、当該両目の夫々の幅のうち少なくとも一方を分析する分析手段と、
を備える顔分析装置。
【発明の詳細な説明】
【技術分野】
【０００１】
本発明は、フィルム及び顔分析装置に関する。
【背景技術】
【０００２】
従来より、人々（特に女性が）が美しくなりたいという要望は大きく、化粧（以下、「メイク」と呼ぶ）の方法は、多様化している。
しかしながら、人間の顔や肌は、多種多様であり、夫々の人にあったメイクを適切に行うためには、非常に高い技術が要求される。
この点メイクの技術を向上するための支援を適切に行う技術も提案されている（例えば特許文献１参照）。
【先行技術文献】
【特許文献】
【０００３】
【特許文献１】特開２０１６−１２９０２７号公報
【発明の概要】
【発明が解決しようとする課題】
【０００４】
しかしながら、先行文献１に記載の技術を含む従来技術のみでは、単にメイクの技術の向上を適切に支援することができるに過ぎず、顧客の個性に合ったメイクを行うための技術の向上という点については不十分なものであった。
また、メイクは、顧客の顔に合わせて個性を引き出すということが非常に重要であるにも関わらず、顧客の顔の個性に合ったメイクを施すための技術としては不十分なものであった。
そのため、顔の個性を構成する顔全体における目や鼻、唇等の位置、大きさ等を判別し、顔の個性を把握する必要がある。
【０００５】
本発明は、このような状況を鑑みてなされたものであり、ユーザ夫々の顔の個性を把握するための顔分析ツールを提供することを目的とする。
【課題を解決するための手段】
【０００６】
上記目的を達成するため、本発明の一態様のフィルムは、
ユーザの顔を分析するフィルムであって、
黒目に対応する所定直径の円を単位円として、１以上の当該単位円に基づいて配置される、前記ユーザの両目と比較する第１の指標
を含む。
【発明の効果】
【０００７】
本発明によれば、ユーザ夫々の顔の個性を把握するための顔分析ツールを提供することができる。
【図面の簡単な説明】
【０００８】
【図１】本発明の一実施形態に係る顔分析システムの構成の一例を示す構成図である。
【図２Ａ】顔分析新バランス基準における目に関する図である。
【図２Ｂ】顔分析新バランス基準における目に関する図である。
【図２Ｃ】顔分析新バランス基準における目に関する図である。
【図３】顔分析新バランス基準における顔全体に関する図である。
【図４】顔分析新バランス基準におけるに顔の長さと顔幅の基準に関する図である。
【図５Ａ】顔分析新バランス基準における輪郭の縦横のバランスに関する図である。
【図５Ｂ】顔分析新バランス基準における輪郭の縦横のバランスに関する図である。
【図５Ｃ】顔分析新バランス基準における輪郭の縦横のバランスに関する図である。
【図６】顔分析新バランス基準におけるまぶたの広さと唇全体の厚みに関する図である。
【図７Ａ】顔分析新バランス基準における唇の山の位置に関する図である。
【図７Ｂ】顔分析新バランス基準における唇の山の位置に関する図である。
【図８】顔分析新バランス基準における目頭と目尻の角度に関する図である。
【図９】フィルムの活用方法に関する図である。
【図１０】フィルムの使用の一例を示す図である。
【図１１】「顔の長さ」を特定する種類のフィルムの一例を示す図である。
【図１２Ａ】「縦横バランス」を特定する種類のフィルムの一例を示す図である。
【図１２Ｂ】「縦横バランス」を特定する種類のフィルムの一例を示す図である。
【図１３Ａ】「パーツの配置バランス」を特定する種類のフィルムの一例を示す図である。
【図１３Ｂ】「パーツの配置バランス」を特定する種類のフィルムの一例を示す図である。
【図１４】「眉下の長さ」を特定する種類のフィルムの一例を示す図である。
【図１５Ａ】フィルムの使用例を示す図である。
【図１５Ｂ】フィルムの使用例を示す図である。
【図１５Ｃ】フィルムの使用例を示す図である。
【図１５Ｄ】フィルムの使用例を示す図である。
【図１５Ｅ】フィルムの使用例を示す図である。
【図１５Ｆ】フィルムの使用例を示す図である。
【図１６Ａ】アイバランスフィルム及びリップバランスフィルムの一例を示す図である。
【図１６Ｂ】アイバランスフィルム及びリップバランスフィルムの一例を示す図である。
【図１６Ｃ】アイバランスフィルム及びリップバランスフィルムの一例を示す図である。
【図１６Ｄ】アイバランスフィルム及びリップバランスフィルムの一例を示す図である。
【図１７Ａ】アイバランスフィルム（目頭、黒目、目尻の横バランス）の使用例を示す図である。
【図１７Ｂ】アイバランスフィルム（目頭、黒目、目尻の横バランス）の使用例を示す図である。
【図１７Ｃ】アイバランスフィルム（目頭、黒目、目尻の横バランス）の使用例を示す図である。
【図１８】アイバランスフィルム（目と眉の間隔）の使用例を示す図である。
【図１９Ａ】アイバランスフィルム（目頭と目尻の角度）の使用例を示す図である。
【図１９Ｂ】アイバランスフィルム（目頭と目尻の角度）の使用例を示す図である。
【図２０】リップバランスフィルム（唇の厚み）の使用例を示す図である。
【図２１】顔分析システムのうちサービス提供者端末のハードウェア構成の一例を示すブロック図である。
【図２２】顔分析システムのうちサービス提供者端末の機能的構成例の一例を示す機能ブロック図である。
【図２３】サービス提供者端末の表示部に表示される画像の一例を示す図である。
【発明を実施するための形態】
【０００９】
[第１実施形態]
まず、本発明の実施形態を説明するに先立ち、本発明の一実施形態に係るフィルム１１を用いたサービス（以下、「本サービス」と呼ぶ）について簡単に説明する。
本サービスは、ユーザ夫々の顔の個性を把握する顔分析サービスである。本サービスの提供者は、ユーザの顔の個性に合ったメイクを施すために、後述するフィルム１１を用いて本サービスの顔分析を実施する。
ここで、フィルム１１は、普遍のロジックを追求した所定の基準（顔分析新バランス基準）に基づく、顔分析カウンセリング（以下、「カウンセリング」と呼ぶ）のための実践ツールである。
換言すれば、フィルム１１は、カウンセリングを行うための客観的で正確な分析結果である顔分析を行うために用いられるフィルムである。
【００１０】
続いて、フィルム１１を用いた顔分析サービスの方法について簡単に説明する。
顔分析とは、具体的に、顔型（輪郭）の大きさ、縦横のバランス、形状や各パーツ（眉、目、鼻、唇）の配置、角度、形状の特徴を、所定の基準バランスの顔とユーザの顔を比較することでユーザの顔の個性を把握することである。
この顔分析を行うのは、ユーザの顔の個性と「所定の基準」との差を埋めるようメイクのデザインを検討することが、従来からメイクの基本とされてきたからであり、顔に似合ったヘアデザインを考える為にも、顔の個性を見極める分析は必要である。
【００１１】
さらに、上述の「所定の基準」について説明する。「所定の基準」とは、従来の黄金比率やゴールデンプロポーション等の顔分析基準のベースと異なり、新たな「顔分析新バランス基準」である。
つまり、「顔分析新バランス基準」とは、本発明者が、人の顔が左右対称でないことも考慮して、従来から提唱されてきた黄金比率等の理論を精査し、検証を積み重ねて構築した顔分析の新基準のことを意味する。
ここで、「顔分析新バランス基準」の採用理由について補足する。黄金比率やゴールデンプロポーションといわれる顔分析基準のベースは、もともと西洋の画家が理想バランスの美人画を描くための目安として提唱した理論である。
そのため、骨格や顔の目や鼻等のパーツの特徴が異なる東洋人に当てはめた場合、矛盾や不適合が生じることもある。また、後述する図２Ａ乃至図２Ｃで示す様に、東洋人の目には蒙古ひだがあり、西洋人の目幅（黒目の直径３倍幅）より狭い方が大半である。
したがって、両目頭の間隔が目の横幅より広いからといって、一概に目元が遠心的であると判断することはできない。また、目元が求心的か遠心的かの印象は、両目頭の間隔ばかりでなく、両黒目の間隔と輪郭の横幅にも左右されるからである。なお、蒙古ひだとは、目頭の部分を覆う上まぶたのひだのことで、一般に、西洋人には存在しない。
更に詳しく説明すると、顔分析新バランス基準は、人間の目の瞳孔を含む虹彩の直径（以下、「黒目」と呼ぶ）を基準として、例えば、目や鼻の位置や大きさ等を「黒目の何倍」または、「黒目の何個分」とする。
ここで、図３以降の図面においては、適宜、基準となる黒目の形（大きさ）を点線で記載している。このように、フィルム１１には、必要に応じて、基準となる黒目の形（大きさ）が印刷されているため、黒目を基準として、目や鼻の位置や大きさ等を「黒目の何倍」または、「黒目の何個分」とする、というように容易に比較・検討することができる。
【００１２】
以下、本発明の一実施形態に係るフィルム１１を含む顔分析システム１の構成の一例を示す構成図である。
【００１３】
本発明の一実施形態に係るフィルム１１を含む本発明の第１実施形態に係る顔分析システム１は、図１に示すように、フィルム１１と、ホールドレール２１と、あご下ガイド２２と、サービス提供者端末１２から構成される。
【００１４】
フィルム１１は、所定の基準による顔の輪郭や目の位置等の基準が描かれたフィルムである。
フィルム１１は、透明なシートである。フィルム１１の素材としては、例えば、プラスチックやポリエチレン等を採用することができる。
【００１５】
ホールドレール２１は、フィルム１１を固定するためにユーザＵが把持するためのレールである。
例えば、具体的に、ホールドレール２１は、フィルム１１の両端に取り付けられる。そして、本サービスを受ける際に、ユーザＵは、ホールドレール２１を把持することで、容易にフィルム１１をユーザＵの顔に合わせて固定することができる。
【００１６】
あご下ガイド２２は、Ｌ字型の形状であり、一方の片面をフィルム１１に垂直に装着し、他方の片面をユーザＵのあごを乗せる形状となっている。
本サービスを受ける際に、ユーザＵは、このあご下ガイド２２を利用することで、フィルム１１を、顔に対して水平に固定することができるようになる。
つまり、あご下ガイド２２のユーザＵのあごを乗せる面が見えないように、サービス提供者がサービス提供者端末１２で撮像することで、ユーザＵの顔とフィルム１１に印刷された顔の輪郭とが正確に重ね合わさるように撮像することができる。
なお、ホールドレール２１及びあご下ガイド２２は、フィルム１１に、適宜、取り付けて使用することが可能である。また、本サービスの提供者は、例えば、あご下ガイド２２のユーザＵのあごを乗せる面に色彩等を施して、ユーザＵの利便性の向上を図ってもよい。
【００１７】
サービス提供者端末１２は、本サービスの提供者により操作される端末である。
サービス提供者端末１２は、フィルム１１とユーザＵの顔を、後述する撮像部５８で撮像し、表示部５７にフィルム１１とユーザＵの顔を画像として表示する。
即ち、上述の表示部５７には、フィルム１１とユーザＵの顔が重なり合うように表示される。なお、表示されるフィルム１１とユーザＵの顔は、上述の表示部５７に限られず、例えば、サービス提供者端末１２とは別に、テレビやモニタに表示してもよい。
【００１８】
サービス提供者は、フィルム１１に印刷された顔の輪郭や目の位置等の基準とユーザＵの顔の輪郭や目の位置等を比較して、当該ユーザＵの顔についての「顔分析」を行うことができる。そして、これにより本サービスの提供者は、新たなメイクのデザインを検討することができる。
また、サービス提供者は、「顔分析」の結果を基に、ユーザＵに対してカウンセリングを行うこともできる。
つまり、本サービスの提供者は、正確で客観的な「顔分析」を行うことができるため、「顔分析」の結果をユーザＵに提示しつつ、カウンセリングを行うことで、より説得力のあるカウンセリングを行うこともできるし、客観的な提案を即時に行うこともできる。
【００１９】
ここで、顔分析新バランス基準について、図２Ａ乃至図８を用いて説明する。
図２Ａ乃至図２Ｃは、顔分析新バランス基準における目に関する図である。
【００２０】
図２Ａ乃至図２Ｃにおいては、蒙古ひだが確認できる目の一例を示す図２Ａ、蒙古ひだと目の横幅の関係を示す図２Ｂ、及び涙丘がある目を示す図２Ｃが示されている。
図２Ａは、蒙古ひだが確認できる目の一例を示している。この蒙古ひだがあるために、西洋人の目幅（黒目の直径３倍幅）より狭くなっていることがわかる。
図２Ｂは、蒙古ひだと目の横幅の関係を示している。蒙古ひだのある目の横幅は、西洋人の目幅（黒目の直径３倍幅）より狭いため、目の左右のバランスの見え方が変わることがわかる。
図２Ｃは、涙丘が確認できる目の一例を示している。涙丘とは、目頭の内側にあるピンク色をした部分のことでる。
ただし、一般に、蒙古ひだの確認できる目を有する人の場合、図２Ａに示す通り、涙丘が蒙古ひだに隠れて確認できなくなる。
なお、東洋人の多くは、蒙古ひだがある目を有するため、一般に西洋人の目幅（例えば黒目の直径３倍幅）と比べて狭いのが一般的である。
【００２１】
図３は、顔分析新バランス基準における顔全体に関する図である。
図３においては、顔分析新バランス基準における顔全体の比率が記載されている。
例えば、目や鼻等の配置（以下、「パーツの配置」と呼ぶ）の縦（上下）のバランスについては、以下のように示す。
図３の長さＡ１は、額の生え際から眉頭の下、長さＡ２は、眉頭の下から鼻下、長さＡ３は、鼻下からあご下の長さ（額の長さ、鼻筋の長さ、あごの長さ）を示しており、夫々の長さの比率は、以下の式（１）で示す比率となる。
（数１）
Ａ１：Ａ２：Ａ３＝１：１：１                                  （１）
即ち、夫々額の生え際から眉頭の下、眉頭の下から鼻下、鼻下からあご下の長さが等しいことがわかる。
【００２２】
図３の長さＢ１は、額の生え際からあご下における黒目の高さ、長さＢ２は、あご下における黒目の高さからあご下の長さを示しており、夫々の長さの比率は、以下の式（２）で示す比率となる。
（数２）
Ｂ１：Ｂ２＝２：３                                            （２）
即ち、額の生え際からあご下における黒目の高さと、あご下における黒目の高さからあご下の長さの比率は、２：３であることがわかる。
【００２３】
図３の長さＤ１は、鼻下からあご下における下唇の高さ、長さＤ２は、あご下における下唇の高さからあご下の長さを示しており、夫々の長さの比率は、以下の式（３）で示す比率となる。
（数３）
Ｄ１：Ｄ２＝１：１                                            （３）
即ち、鼻下からあご下における下唇の高さと、あご下における下唇の高さからあご下の長さが等しいことがわかる。
【００２４】
図３の長さＤ３は、額の生え際からあご下における下唇の高さ、長さＤ４は、あご下における下唇の高さからあご下の長さを示しており、夫々の長さの比率は、以下の式（４）で示す比率となる。
（数４）
Ｄ３：Ｄ４＝５：１                                            （４）
即ち、額の生え際からあご下における下唇の高さと、あご下における下唇の高さからあご下の長さの比率は、５：１であることがわかる。
なお、まぶたの広さを示す長さＣ１、長さＣ２、長さＣ３と唇の厚みについては、後述する図６で詳細に説明する。
【００２５】
次に、パーツ配置の横方向（左右）のバランスについては、以下のように示す。
図３の横幅Ｇ１は、右目の横幅、横幅Ｇ２は、両目頭の間の幅、横幅Ｇ３は、左目の横幅の夫々の広さを示しており、夫々の広さの比率は、以下の式（５）で示す比率となる。
（数５）
Ｇ１：Ｇ２：Ｇ３＝１：１：１                                  （５）
即ち、右目の横幅、両目頭の間の幅、左目の横幅の広さが等しいことがわかる。
【００２６】
図３の横幅Ｈ１は、鼻の横幅の広さを示しており、横幅Ｇ２と横幅Ｈ１との比率は以下の式（６）で示す比率となる。
（数６）
Ｇ２：Ｈ１＝１：１                                            （６）
即ち、両目頭の間の幅と鼻の横幅の広さが等しいことがわかる。
また、図３においては、目や鼻等の横幅について、黒目との関係を示している。
図３は、左右の目の横幅が黒目の３倍、両目頭の間の幅が黒目の３倍、黒目の内側同士の間の幅が黒目の５倍、目尻と顔端の幅が黒目の１．５〜２倍、鼻の横幅が黒目の３倍であることを示している。
また、図３の横幅Ｈ２は、口の横幅の広さを示しており、横幅Ｈ１と横幅Ｈ２との比率は以下の式（７）で示す比率となる。
（数７）
Ｈ１：Ｈ２＝１：１．５                                        （７）
即ち、口の横幅の広さは、鼻の横幅の広さの１．５倍であることがわかる。
また、鼻の横幅が黒目の３倍であることから、口の横幅の広さは、黒目の４．５倍であることがわかる。
【００２７】
図４は、顔分析新バランス基準におけるに顔の長さと顔幅の基準に関する図である。
図４には、顔の長さと顔幅の基準が示されている。
即ち、顔の長さは、１８ｃｍ〜２０ｃｍ未満である。顔幅の広さは、１３．５ｃｍ〜１５ｃｍ未満である。なお、顔幅の標準は、黒目の１２〜１３倍（人の黒目の直径は１１ｍｍ〜１２ｍｍ程度）である。
なお一般的に、人の顔は、正中線を軸に左右を見てシンメトリー（対称）ではなく、アシンメトリー（非対称）である。そのため、顔幅は、右面と左面で広さが異なる場合が大半である。
【００２８】
図５Ａ乃至図５Ｃは、顔分析新バランス基準における輪郭の縦横のバランスに関する図である。
図５Ａ乃至図５Ｃを用いて、顔分析新バランス基準における輪郭の縦横のバランスを決定する方法について、簡単に説明する。
ここで、フィルム１１において、略水平方向を「横」と呼び、略垂直方向を「縦」と呼ぶ。
【００２９】
ここで、輪郭の縦横のバランスは、顔の長さ（縦）と顔幅（横）の比率が４：３となるバランスを基準とする。このような顔の長さ（縦）と顔幅（横）の比率が４：３となるプロポーションの顔型を「基準バランス」という。
これに対して、この「基準バランス」より顔の長さ（縦）が短い、又は顔幅（横）が広いプロポーションの顔型（輪郭）を「横広（丸顔）バランス」という。逆に、この基準バランスより顔の長さ（縦）が長い、又は顔幅（横）が狭いプロポーションの顔型（輪郭）を「縦長（面長）バランス」という。
以上をまとめると、図５Ａは、「基準バランス」に該当する顔の一例を示す図である。図５Ｂは、「横広（丸顔）バランス」に該当する顔の一例を示す図である。図５Ｃは、「縦長（面長）バランス」に該当する顔の一例を示す図である。
【００３０】
図６は、顔分析新バランス基準におけるまぶたの広さ（例えば図３の長さＣ１乃至Ｃ３）と唇の厚みに関する図である。
図６では、まぶたの広さ（例えば図３の長さＣ１乃至Ｃ３）及び唇の厚みと黒目の大きさとの関係について示されている。
【００３１】
ここで、図６の左部を見ると、長さＣ１は目頭と眉頭下の間の幅であり、長さＣ２は黒目上と眉下の間の幅であり、長さＣ３は目尻と眉尻の間の幅である。
そして、図６の右部を見ると、長さＣ１乃至長さＣ３とユーザの黒目の大きさとの関係（比率）が記載されている。
具体的には、長さＣ１は黒目の１．５倍の長さ、長さＣ２は黒目の１倍の長さ、長さＣ３は黒目の１．５倍の長さである。
他方、図６の下部を見ると、唇の厚みと黒目の大きさとの関係（比率）が記載されている。
具体的には、唇全体の厚みは黒目の１．５倍であり、上唇の厚みは黒目の０．６倍であり、下唇の厚みは黒目の０．９倍の厚みである。また、上唇の厚みと下唇の厚みの比率は、１：１．５の比率である。
【００３２】
図７Ａ、図７Ｂは、顔分析新バランス基準における唇の山の位置に関する図である。
図７Ａ、図７Ｂの例では、図７Ａには右側の唇の山の位置について示されており、図７Ｂには全体の唇の山の位置が示されている。
【００３３】
図７Ａを見ると、右側の唇の山の位置は、唇の谷から口角の３分の１の位置にあることがわかる。他方、図７Ｂを見ると、全体の唇の山の位置は、唇の谷から口角の３分の１の位置にある。
即ち、ユーザの唇の位置は、左右ともに、唇の谷から口角の３分の１の位置に存在していることがわかる。
【００３４】
図８は、顔分析新バランス基準における目頭と目尻の角度に関する図である。
図８で示す様に、目頭と目尻の角度は、２度〜１０度の間が基準である。
そのため、目頭と目尻の角度が１１度以上の場合は、上がり目であり、目頭と目尻の角度が１度以下の場合は、下がり目となる。
【００３５】
以上、顔分析新バランス基準について、図２Ａ乃至図８を用いて説明した。
顔分析新バランス基準におけるフィルム１１の活用方法について図９、図１０を用いて説明する。
図９は、フィルム１１の活用方法に関する図である。
【００３６】
図９では、フィルム１１の活用方法として、フィルム１１を使用する際に使用するあご下ガイド２２が示されている。
あご下ガイド２２は、図９で示す様に、Ｌ字型の形状をしており、一方の片面をフィルム１１に装着し、他方の片面をユーザＵのあごを乗せる形状となっている。また、ユーザＵのあごを乗せる面に色彩を施すことも可能である。
あご下ガイド２２は、フィルム１１に装着し、ユーザＵのあごを乗せることで、ユーザＵとフィルム１１を固定することができる。
例えば、具体的に、ユーザＵは、あご下ガイド２２を、フィルム１１に装着し、クリップ等で固定する。そして、ユーザＵは、ユーザＵの鼻先がフィルム１１に当たるように、フィルム１１を顔に当て、ユーザＵのあごをあご下ガイド２２のプレートの部分に乗せる。これにより、顔全体が固定されるので、正確に顔分析を行うことが出来る。
なお、あご下ガイド２２の形状は、Ｌ字型に限定されず、また、クリップ以外の方法で、あご下ガイド２２とフィルム１１を固定してもよい。
【００３７】
図１０は、フィルム１１の使用の一例を示す図である。
即ち、図１０は、実際にユーザＵがあご下ガイド２２にユーザＵのあごを乗せている図を示している。フィルム１１の両端にはホールドレール２１が備えられており、ユーザＵは、ホールドレール２１を把持することで、容易にフィルム１１をユーザＵの顔に合わせて固定することができる。
さらに、ユーザＵのあごをあご下ガイド２２のプレートの部分に乗せることで、ユーザＵの顔とフィルム１１が固定されていることから、さらに安定していることがわかる。
これにより、サービス提供者は、図１で示したように、サービス提供者端末１２でユーザＵの顔とフィルム１１を撮像する。表示部５７等には、ユーザＵの顔と顔分析新バランス基準による顔の輪郭やパーツの配置が描かれたフィルム１１が表示される。
サービス提供者は、ユーザＵに上述の画像を見てもらいながらカウンセリングを行うことが出来る。即ち、サービス提供者は、上述の画像を用いることで、顔分析の解説とメイク等の提案のパフォーマンスを高めることが出来る。
また、図１１で後述するが、フィルム１１には、スケールもついているため、顔の長さや顔幅の測定も可能である。そして、サービス提供者は、顔分析に基づき、ユーザＵに対してメイクやヘアスタイリングのアドバイスや提案等が可能となる。
【００３８】
フィルム１１には、次の（ａ）乃至（ｄ）の４種類がある。
（ａ）「顔の長さ」を特定する種類のフィルムとして、図１１に示す１種類のフィルム１１−Ｌが存在する。このフィルム１１−Ｌにより、ユーザＵの「顔の長さ」が、８段階のうち所定の１段階に特定される。
（ｂ）「顔の縦横バランス」を特定する種類のフィルムとして、上述の「顔の長さ」の８段階の夫々に対応する８種類のフィルムが存在する。これらの８種類のうち、最短の「顔の長さ」に対応する「顔の縦横バランス」を特定する種類のフィルムが、フィルム１１−ＷＳとして図１２Ａに示されている。また、最長の「顔の長さ」に対応する「顔の縦横バランス」を特定する種類のフィルムが、フィルム１１−ＷＬ４として図１２Ｂに示されている。
（ｃ）「顔のパーツの配置バランス」を特定する種類のフィルムとして、上述の「顔の長さ」の８段階の夫々に対応する８種類のフィルムが存在する。これらの８種類のうち、最短の「顔の長さ」に対応する「顔のパーツの配置バランス」を特定する種類のフィルムが、フィルム１１−ＰＳとして図１３Ａに示されている。また、最長の「顔の長さ」に対応する「顔のパーツの配置バランス」を特定する種類のフィルムが、フィルム１１−ＰＬ４として図１２Ｂに示されている。
（ｄ）「眉下の長さ」を特定するフィルムとして、図１４に示す、１種類のフィルム１１−Ｍが存在する。
これらの（ａ）乃至（ｄ）のフィルム１１の夫々について説明する。
【００３９】
先ず、「顔の長さ」を特定する種類の具体例として、図１１のフィルム１１−Ｌを用いてその詳細について説明する。
図１１の例のフィルム１１−Ｌのうち、左端には、顔の長さを測定するためのスケールＳＬが印刷され、下端には、顔幅を測定するためのスケールＳＷが印刷されている。
また、フィルム１１−Ｌには、８本の横の点線ＬＳ乃至ＬＬ４と、１本の横の点線Ｌｄとが印刷されている。
８本の横の点線ＬＳ乃至ＬＬ４についていえば、横の点線ＬＳが最下位置に配置され、それから上方向に点線ＬＭＳ乃至ＬＬ４の順番で、等間隔で夫々配置されている。
横の点線Ｌｄは、顔のあご下の高さを示す基準線である。
この横の点線Ｌｄの中央点を下点として、８本の横の点線ＬＳ乃至ＬＬ４の夫々の中央点を上点として、当該下点と８個の上点の夫々とを通る８本の曲線（実線）の夫々が、顔の輪郭を示す基準曲線Ｒとして印刷されている。
つまり、横の点線Ｌｄの中央点が、ユーザＵの顔のあご下の最下点と一致するように、フィルム１１−ＬがユーザＵの顔の前に翳される。この場合、８本の横の点線ＬＳ乃至ＬＬ４のうち、ユーザＵの顔の輪郭と一番合致する基準曲線に対応する横線（ユーザＵの額の生え際の高さと一番合致する基準線）により、ユーザＵの「顔の長さ」が特定される。
具体的には例えば、横の点線ＬＳと一番合致する場合、ユーザＵの「顔の長さ」は、最短の「Ｓ」と特定される。また例えば、横の点線ＬＬ４と一番合致する場合、ユーザＵの「顔の長さ」は、最長の「Ｌ４」と特定される。
【００４０】
次に、「顔の縦横バランス」を特定する種類のフィルムの具体例として、図１２Ａのフィルム１１−ＷＳを用いて、その詳細について説明する。
図１１のフィルム１１−ＬによりユーザＵの「顔の長さ」が８段階の中から特定されると、この特定された「顔の長さ」に対応する「顔の縦横バランス」を特定する種類のフィルムが用いられる。
具体的には例えば、ユーザＵの「顔の長さ」が最短の「Ｓ」であると特定された場合、この「Ｓ」に対応する「顔の縦横バランス」を特定する種類のフィルムとして、図１２Ａのフィルム１１−ＷＳが用いられる。
このフィルム１１−ＷＳのうち、左端には、顔の長さを測定するためのスケールＳＬが印刷され、下端には、顔幅を測定するためのスケールＳＷが印刷されている。
また、フィルム１１−ＷＳには、横の点線ＷＳｄと、横の点線ＷＳｔとが印刷されている。横の点線ＷＳｄは、顔のあご下の高さを示す基準線である。横の点線ＷＳｔは、額の生え際の高さを示す基準線である。つまり、横の点線ＷＳｄと横の点線ＷＳｔの間の長さが、最短の「顔の長さ」である「Ｓ」、具体的には図１１のフィルム１１−Ｌにおける横の点線Ｌｄと横の点線ＬＳとの間の長さに該当する。
フィルム１１−ＷＳの中央には、縦の点線Ｃが印刷されている。縦の点線Ｃは、顔の中心である正中線を示す基準線である。
また、縦の点線Ｃに対して左右には、当該縦の点線Ｃから同一距離だけ離間した縦線の組として、縦線の組（縦線ＷＳＡＬ,縦線ＷＳＡＲ）、縦線の組（縦線ＷＳＢＬ，縦線ＷＳＢＲ）、及び縦線の組（縦線ＷＳＣＬ，縦線ＷＳＣＲ）の夫々が印刷されている。
この縦線の組の横方向の長さが、顔の幅を示している。即ち、縦線の組（縦線ＷＳＡＬ,縦線ＷＳＡＲ）の横方向の長さが、最短の顔の幅を示している。縦線の組（縦線ＷＳＢＬ，縦線ＷＳＢＲ）の横方向の長さが、中程度の顔の幅を示している。縦線の組（縦線ＷＳＣＬ，縦線ＷＳＣＲ）の横方向の長さが、最長の顔の幅を示している。
横の点線ＷＳｄの中央点を下点として、点線ＷＳｔの中央点を上点とて、当該下点と当該上点と、縦線の組（縦線ＷＳＡＬ,縦線ＷＳＡＲ）、縦線の組（縦線ＷＳＢＬ，縦線ＷＳＢＲ）、及び縦線の組（縦線ＷＳＣＬ，縦線ＷＳＣＲ）の夫々の２つの縦線の各点とを通る３本の曲線（実線）の夫々が、顔の輪郭を示す基準曲線Ｒとして印刷されている。
つまり、横の点線ＷＳｄの中央点が、ユーザＵの顔のあご下の最下点と一致し、かつ、横の点線ＷＳｔの中央点が、ユーザＵの額の生え際の最上点と略一致するように、フィルム１１−ＷＳが（最短の「顔の長さ」を有する）ユーザＵの顔の前に翳される。この場合、縦線の組（縦線ＷＳＡＬ,縦線ＷＳＡＲ）、縦線の組（縦線ＷＳＢＬ，縦線ＷＳＢＲ）、及び縦線の組（縦線ＷＳＣＬ，縦線ＷＳＣＲ）のうち、ユーザＵの顔の横幅と一番合致する基準曲線に対応する縦線の組により、ユーザＵの「顔の幅」が特定される。
具体的には例えば、縦線の組（縦線ＷＳＢＬ，縦線ＷＳＢＲ）と一番合致する場合、ユーザＵの「顔の幅」は、最短の幅と特定される。
【００４１】
このように、例えば、ユーザＵの「顔の長さ」が最短の「ＬＳ」であると特定された場合、この「ＬＳ」に対応する「顔の縦横バランス」を特定する種類のフィルムとして、図１２Ａのフィルム１１−ＷＳが用いられる。
また例えば、ユーザＵの「顔の長さ」が最長の「ＬＬ４」であると特定された場合、この「ＬＬ４」に対応する「顔の縦横バランス」を特定する種類のフィルムとして、図１２Ｂのフィルム１１−ＷＬ４が用いられる。
フィルム１１−ＷＬ４に印刷される各種線の種類や相互の位置関係は、フィルム１１−ＷＳと同様であるため、ここではこれらの説明は省略される。
ただし、各線の絶対距離、例えば横の点線ＷＳｄと横の点線ＷＳｔの間の距離や、縦線の組（縦線ＷＳＡＬ,縦線ＷＳＡＲ）、縦線の組（縦線ＷＳＢＬ，縦線ＷＳＢＲ）、及び縦線の組（縦線ＷＳＣＬ，縦線ＷＳＣＲ）の夫々の間の距離は、フィルムの種類に応じて異なっている。つまり、各線の絶対距離は、フィルム１１−ＷＳでは「顔の長さ」が最短の「ＬＳ」に対応する距離となっているのに対して、フィルム１１−ＷＬ４では「顔の長さ」が最長の「ＬＬ４」に対応する距離となっている。
【００４２】
次に、「顔のパーツの配置バランス」を特定する種類のフィルムの具体例として、図１３Ａのフィルム１１−ＰＳを用いて、その詳細について説明する。
図１１のフィルム１１−ＬによりユーザＵの「顔の長さ」が８段階の中から特定されると、この特定された「顔の長さ」に対応する「顔のパーツの配置バランス」を特定する種類のフィルムが用いられる。
具体的には例えばユーザＵの「顔の長さ」が最短の「ＬＳ」であると特定された場合、この「ＬＳ」に対応する「顔のパーツの配置バランス」を特定する種類のフィルムとして、図１３Ａのフィルム１１−ＰＳが用いられる。
【００４３】
このフィルム１１−ＰＳのうち、左端には、顔の長さを測定するためのスケールＳＬが印刷され、下端には、顔幅を測定するためのスケールＳＷが印刷されている。
また、フィルム１１−ＷＳには、両矢印線、点線、各パーツ（目、鼻、口）の基準を示す曲線等が、「顔分析新バランス基準」に基づいて印刷されている。
ここで、「顔分析新バランス基準」では、人間の目の瞳孔を含む虹彩即ち、いわゆる「黒目」は性別や人種によらず全世界で略同一サイズを有することに着目し、黒目に対応する所定直径の円を「単位円」として、この単位円に基づいて、目等のパーツの配置バランスの基準が表現される。なお、本明細書では、説明を容易にすべく、この「単位円」を単に「黒目」と呼ぶ。つまり、以下特に断りのない限り、以下「黒目」とは「単位円」を指す。具体的には例えば、フィルム１１−ＷＳにおいては、点線で黒目ｂｉが示されている。この黒目ｂｉの何倍等の表現で、後述する各パーツ（目、鼻、口）の基準が示されることになる。一方、「単位円」でなく、人間の目の中にある黒目（虹彩）を説明する場合には、疑義が生じないように「虹彩」と呼ぶ。
【００４４】
フィルム１１−ＰＳの中央には、縦の点線Ｃが印刷されている。縦の点線Ｃは、顔の中心である正中線を示す基準線である。
フィルム１１−ＰＳには、横の点線ＰＳｄと、横の点線ＰＳｔとが印刷されている。横の点線ＰＳｄは、顔のあご下の高さを示す基準線である。横の点線ＰＳｔは、額の生え際の高さを示す基準線である。つまり、横の点線ＰＳｄと横の点線ＰＳｔの間の長さが、最短の「顔の長さ」である、具体的には図１１のフィルム１１−Ｌにおける横の点線Ｌｄと横の点線ＬＳとの間の長さに該当する。
この最短の「顔の長さ」が３等分された場合における、夫々の間の長さを示す両矢印ａ１，ａ２，ａ３の夫々の長さが、図３の長さＡ１，Ａ２，Ａ３の夫々に相当する。つまり、上述の式（１）の比率で、両矢印ａ１，ａ２，ａ３の夫々がフィルム１１−ＰＳに印刷されている。
【００４５】
フィルム１１−ＰＳには、横の点線ＰＳｉが印刷されている。横の点線ＰＳｉは、後述する基準の左目ｉＬ及び右目ｉＲの高さの基準位置を示す基準線である。換言すると、横の点線ＰＳｄと横の点線ＰＳｔの間の長さ、即ち最短の「顔の長さ」が上述の式（２）の比率２：３で分割された場合における、分割線が横の点線ＰＳｉである。なお、図１３Ａにいう両矢印ｂ１，ｂ２の夫々の長さは、図３の長さＢ１，Ｂ２の夫々の長さに相当する。
【００４６】
フィルム１１−ＰＳには、横の点線ＰＳｍが印刷されている。横の点線ＰＳｍは、後述する基準の唇ｍの高さの基準位置（唇ｍの下端位置）を示す基準線である。
換言すると、横の点線ＰＳｄと横の点線ＰＳｔの間の長さ、即ち最短の「顔の長さ」が上述の式（４）の比率５：１で分割された場合における、分割線が横の点線ＰＳｍである。
なお、図１３Ａにいう両矢印ｄ３，ｄ４の夫々の長さは、図３の長さＤ３，Ｄ４の夫々の長さに相当する。
【００４７】
フィルム１１−ＰＳには、横の点線ＰＳｎが印刷されている。横の点線ＰＳｎは、後述する基準の鼻ｎの高さの基準位置（鼻ｎの下端位置）を示す基準線である。
換言すると、横の点線ＰＳｄと当該横の点線ＰＳｎの間の長さが上述の式（３）の比率１：１で分割された場合における、分割線が上述の横の点線ＰＳｍである。
なお、図１３Ａにいう両矢印ｄ１，ｄ２の夫々の長さは、図３の長さＤ１，Ｄ２の夫々の長さに相当する。
【００４８】
フィルム１１−ＰＳには、横の両矢印ｇ１，ｇ２，ｇ３の夫々が印刷されている。
横の両矢印ｇ１の長さは、後述する基準の右目ｉＲの横幅、即ち後述する黒目ｂｉの３倍の長さに相当する。
横の両矢印ｇ２は、基準の右目ｉＲと左目ｉＬとの夫々の両目頭の間の幅、即ち後述する黒目ｂｉの３倍の長さに相当する。
横の両矢印ｇ３は、後述する基準の左目ｉｌの横幅、即ち後述する黒目ｂｉの３倍の長さに相当する。
つまり、図１３Ａにいう両矢印ｇ１，ｇ２，ｇ３の夫々の長さは、図３の横幅Ｇ１，Ｇ２，Ｇ３の夫々の長さに相当する。換言すると、上述の式（５）の比率で、両矢印ｇ１，ｇ２，ｇ３の夫々がフィルム１１−ＰＳに印刷されている。
【００４９】
ここで、「顔分析新バランス基準」に基づいてフィルム１１−ＰＳに印刷された、目等の各パーツを示す曲線について説明する。
なお、以下、説明の便宜上、目等の各パーツを示す曲線については、「曲線」を省略して表現する。即ち、以下、フィルム１１−ＰＳの説明において、例えば「目」と表現している場合、それは、目を示す曲線を意味している。
【００５０】
基準の左目ｉＬ及び右目ｉＲは、「顔分析新バランス基準」に基づいてフィルム１１−ＰＳに印刷されている。
換言すると、左目ｉＬ及び右目ｉＲは、両矢印ｂ１，ｂ２の間を通る横の点線ＰＳｉの上に、複数の黒目ｂｉとともに夫々印刷されている。
また、左目ｉＬ及び右目ｉＲの夫々は、顔の中心である正中線を示す縦の点線Ｃに対して横方向に左右対称に配置されている。ここで、左目ｉＬ及び右目ｉＲの間の距離は、両矢印ｇ２の長さである。なお、両矢印ｇ２の長さは、黒目ｂｉの３倍の長さに相当する。
【００５１】
続いて、「顔分析新バランス基準」に基づいてフィルム１１−ＰＳに印刷されている眉、鼻、口についても具体的に説明していく。
左眉ｍＬは、「顔分析新バランス基準」に基づいてフィルム１１−ＰＳに印刷されている基準となる左眉の位置を示す一例である。
右眉ｍＲは、「顔分析新バランス基準」に基づいてフィルム１１−ＰＳに印刷されている基準となる右眉の位置を示す一例である。
両矢印ｃ１は、目頭と眉頭下部とを結ぶ縦方向の長さを示す基準線である。両矢印ｃ２は、光彩上部と眉中央下部とを結ぶ縦方向の長さを示す基準線である。両矢印ｃ３は、目尻と眉外側下部とを結ぶ縦方向の長さを示す基準線である。
以下、具体的に左眉ｍＬ及び右眉ｍＲの配置の一例について説明する。
左眉ｍＬ及び右眉ｍＲは、「顔分析新バランス基準」に基づいて、左目ｉＬ又は右目ｉＲからの各種部位から縦に両矢印ｃ１，ｃ２，ｃ３の夫々の長さ上に印刷されている。
また、両矢印ｃ１，ｃ３の夫々の長さは、例えば、黒目ｂｉの１．５倍の長さに相当し、両矢印ｃ２の長さは、例えば、黒目ｂｉの１倍の長さに相当する。
【００５２】
ここで、鼻ｎは、「顔分析新バランス基準」に基づいてフィルム１１−ＰＳに印刷されている基準となる鼻の位置を示す一例である。
両矢印ｈ１は、鼻ｎの左端から右端までの長さを示す基準線である。
以下、具体的に鼻ｎの配置の一例について説明する。
鼻ｎは、「顔分析新バランス基準」に基づいて、正中線Ｃから両矢印ｈ１の長さで左右対称に配置され印刷される。なお、鼻ｎの下部は、上述の横の点線ＰＳｎの上部に接するように配置されている。
ここで、両矢印ｈ１の長さは、黒目ｂｉの３倍の長さに相当する。そのため、鼻ｎは、正中線Ｃから左右に黒目ｂｉの１．５倍の距離に配置されることになる。
【００５３】
ここで、口ｍは、「顔分析新バランス基準」に基づいてフィルム１１−ＰＳに印刷されている基準となる口の位置を示す一例である。なお、口の左端と右端を結ぶ点線を基準線と呼ぶ。
両矢印ｈ２は、口ｍの左端から右端までの長さを示す基準線である。両矢印ｍ１は、口ｍの基準から上唇の山の上部までの長さを示す基準線である。両矢印ｍ２は、口ｍの基準線から下唇下部までの長さを示す基準線である。
以下、具体的に口ｍの配置の一例について説明する。
口ｍは、「顔分析新バランス基準」に基づいて、正中線Ｃから両矢印ｈ２の長さで左右対称に配置され、印刷される。なお、口ｍの下部は、上述の横の点線ＰＳｍの上部に接するように配置される。
そして、下唇下部（横の点線ＰＳｍと接している部分）から両矢印ｍ２上方に口ｍの中心が配置される。そして、当該口ｍの中心から両矢印ｍ１上方に上唇の山が配置される。
なお、両矢印ｍ１の長さは、黒目ｂｉの１倍の長さに相当し、両矢印ｍ２の長さは黒目ｂｉの１．５倍の長さに相当する。
フィルム１１−ＰＳには、このような各種顔のパーツが、上述の条件に従って印刷されており、本サービスの提供者は、このフィルム１１−ＰＳを用いて本サービスを提供することで、「顔分析新バランス基準」に基づいたサービスの提供を実現することができる。
【００５４】
このように、例えば、ユーザＵの「顔の長さ」が最短の「ＬＳ」であると特定された場合、この「ＬＳ」に対応する「顔のパーツの配置バランス」を特定する種類のフィルムとして、図１３Ａのフィルム１１−ＰＳが用いられる。
また例えば、ユーザＵの「顔の長さ」が最長の「ＬＬ４」であると特定された場合、この「ＬＬ４」に対応する「顔の縦横バランス」を特定する種類のフィルムとして、図１３Ｂのフィルム１１−ＰＬ４が用いられる。
フィルム１１−ＰＬ４に印刷される各種線や各種矢印の種類や相互の位置関係は、フィルム１１−ＰＳと同様であるため、ここではこれらの説明は省略される。
ただし、各線や各矢印の絶対距離、例えば横の点線ＰＬ４ｄと横の点線ＰＬ４ｔの間の距離や、両矢印ａ１，ａ２，ａ３の夫々の長さ、両矢印ｂ１，ｂ２の夫々の長さ、両矢印ｄ１，ｄ２，ｄ３，ｄ４等の夫々の長さ等は、フィルムの種類に応じて異なっている。
つまり、各線や各矢印の絶対距離は、フィルム１１−ＰＳでは「顔の長さ」が最短の「ＬＳ」に対応する距離となっているのに対して、フィルム１１−ＰＬ４では「顔の長さ」が最長の「ＬＬ４」に対応する距離となっている。
【００５５】
次に、図１４のフィルム１１−Ｍを用いて、「眉下の長さ」を特定するフィルムの具体的な一例について説明する。
図１４は、「眉下の長さ」を特定するフィルムの一例を示す図である。
図１４を見ると、フィルム１１−Ｍには、スケールＳＬと、スケールＳＷと、８本の横の点線Ｓ乃至Ｌ４と、正中線Ｃと、１本の横の点線Ｍｄと、左眉ｍＬ及び右眉ｍＲの夫々（合計８個）とが印刷されている。
なお、８本の横の点線Ｓ乃至Ｌ４の構成を具体的に説明する。即ち、横の点線Ｓが配置され、上方向に向かって、横の点線ＭＳ乃至Ｌ４が等間隔に順番に配置されている。なお、この８本の横の点線Ｓ乃至Ｌ４は、眉下の長さを測定するためのものであり、眉下の高さ配置されている。
具体的に、夫々の配置について説明する。まず左眉ｍＬ及び右眉ｍＲの夫々は、正中線を示す縦の点線Ｃに対して横方向に対称に配置されている。この８個の左眉ｍＬ及び右眉ｍＲの夫々は、上述の８本の横の点線Ｓ乃至Ｌ４の夫々に沿って印刷されている。
本サービスの提供者は、ユーザＵの顎を横の点線Ｍｄに合わせてユーザＵの顔をフィルム１１に押し当て、ユーザＵの眉と８個の左眉ｍＬ及び右眉ｍＲの夫々の位置とを比較することで、ユーザＵの眉下の長さを測定することができる。
本サービスの提供者は、このようにユーザＵの眉下の長さについても測定することで、より対象となるユーザＵに適したメイクを実現することができるのである。
【００５６】
図１５Ａ乃至図１５Ｆは、フィルム１１の具体的な態様の一例を示す図である。
図１５Ａ乃至図１５Ｆを用いて、ユーザＵが実際にフィルム１１等の使用方法について簡単に説明していく。
なお、本実施形態では、フィルム１１の具体的な態様の一例として、図１５Ａ乃至図１５Ｆに示される６種類の態様のみを示すが、フィルム１１の具体的な態様は、これに限られず、本サービスの提供者等は、適宜、任意のフィルムを採用してもよい。
【００５７】
図１５Ａは、図１１の例のフィルム１１―ＬとユーザＵの顔の長さを特定したときの図である。ここで、図１５Ａでは、ユーザＵの顔の輪郭の縦の長さを測定し、ユーザＵの顔の輪郭のタイプを夫々「ＬＬ４」〜「ＬＳ」に選別する。即ち、図１５Ａから、ユーザＵの顔の長さの測定と同時に、ユーザＵの顔の輪郭に該当する輪郭タイプを夫々「ＬＬ４」〜「ＬＳ」から選別する。例えば、具体的に、図１５Ａでは、ユーザＵの顔の長さは、約１９ｃｍとなる。そしてユーザＵの顔の輪郭のタイプは、「ＬＭＬ」となることがわかる。
【００５８】
図１５Ｂは、フイルム１１−Ｌで特定したフィルム１１−ＷＭＬとユーザＵの顔の輪郭のバランスを分析するために比較したときの図である。
ここで、図１５Ｂでは、フィルム１１−ＷＭＬを使用して、ユーザＵの顔の輪郭の縦横バランスを分析し、ユーザＵの顔の輪郭のタイプを夫々縦線の組（縦線ＷＭＬＡＬ,縦線ＷＭＬＡＲ）、縦線の組（縦線ＷＭＬＢＬ,縦線ＷＭＬＢＲ）、及び縦線の組（縦線ＷＭＬＣＬ,縦線ＷＭＬＣＲ）に選別する。ここで、縦線の組（縦線ＷＭＬＡＬ,縦線ＷＭＬＡＲ）の場合、ユーザＵの顔の輪郭は面長バランスであり、縦線の組（縦線ＷＭＬＢＬ,縦線ＷＭＬＢＲ）の場合、ユーザＵの顔の輪郭は基準バランスであり、縦線の組（縦線ＷＭＬＣＬ,縦線ＷＭＬＣＲ）」の場合、ユーザＵの顔の輪郭は丸顔バランスとなる。
ここで、図１５Ｂでは、ユーザＵの顔の輪郭の縦横バランスは、縦線ＷＭＬＢＲと縦線ＷＭＬＡＬとの間であるため、フィルム１１の基準よりやや面長バランスであることがわかる。
【００５９】
図１５Ｃは、図１５Ｂと同様に、フイルム１１−Ｌで特定したフィルム１１−ＷＭＬとユーザＵの顔の輪郭のバランスを分析するために比較したときの図である。
ここで、図１５Ｃでは、図１５Ｂと同様に、フイルム１１−Ｌで特定したフィルム１１−ＷＭＬを使用して、ユーザＵの顔の左右の顔幅の違いを分析し、顔の横幅を測定することが出来る。即ち、フィルム１１−ＷＭＬに印刷された顔の輪郭を示す基準曲線Ｒに合わせ、縦の点線ＣをユーザＵの顔の正中線（両目頭の真ん中）に合わせることで、ユーザＵの顔の左右の顔幅の違いを分析し、顔の横幅を測定することができる。例えば、具体的に、ユーザＵの顔の右面は、縦線ＷＭＬＢＲに位置し、ユーザＵの顔の左面は、縦線ＷＭＬＡＬに位置する。すると、縦線ＷＭＬＢＲとスケールの交差する点が「７．２」、縦線ＷＭＬＡＬとスケールの交差する点が「６．５」となる。したがって、ユーザＵの顔幅は右面が７．２ｃｍ、左面が６．５ｃｍであり、右の顔幅が左の顔幅より広いことがわかる。また、ユーザＵの左右合わせた顔の横幅は、約１３．７ｃｍであり、基準内であることもわかる。
【００６０】
図１５Ｄは、フイルム１１−Ｌで特定したフィルム１１−ＰＭＬとユーザＵの顔を比較したときの図である。
ここで、図１５Ｄでは、フィルム１１−ＰＭＬを使用して、ユーザＵの顔のパーツの配置バランスを分析する。
即ち、フィルム１１−ＰＭＬに印刷された縦の中央の点線を、ユーザＵの顔の正中線（両目頭の真ん中）に合わせることで、ユーザＵの目や鼻等をパーツの基準配置（中央の点線）と比較して、目や鼻等における上下、左右の配置バランスの個性を分析することができる。例えば、具体的に、図１５Ｄでは、ユーザＵの目や鼻等の位置の上下バランスは、全体的に下よりである。また、ユーザＵの黒目や目尻等の位置の左右のバランスは、黒目と目尻がやや内寄りであることがわかる。
【００６１】
図１５Ｅは、フィルム１１−ＭとユーザＵの顔を比較したときの図である。
ここで、図１５Ｅでは、フィルム１１−Ｍを使用して、ユーザＵの顔の眉下からあご下の長さを分析する。
即ち、図１５Ｅから、ユーザＵの顔の眉下の長さに合わせたフィルム１１−Ｍを、夫々「Ｌ４」〜「Ｓ」から選別する。例えば、具体的に、図１５Ｅでは、ユーザの顔の眉下の長さに合致する、図１３Ａ、図１３Ｂで示すパーツの配置バランスフィルムを選別する。ここで、図１５Ｅでは、ユーザＵの顔の眉下の長さは、「Ｍ」となることがわかる。なお、ユーザＵの顔の眉下からあご下の長さの分析は、額を髪で隠されるユーザＵなどに、必要に応じて行う。
【００６２】
図１５Ｆは、フイルム１１−Ｍで特定したフィルム１１−ＰＭとユーザＵの顔を比較したときの図である。
ここで、図１５Ｆでは、フィルム１１−ＰＭを使用して、ユーザＵの顔の眉下におけるバーツの配置バランス（上下、左右）を分析する。
即ち、図１５Ｄと同様に、図１３Ａ、図１３Ｂのフィルム１１に印刷された縦の中央の点線を、ユーザＵの顔の正中線（両目頭の真ん中）に合わせることで、ユーザＵの目や鼻等をパーツの基準配置（中央の点線）と比較して、目や鼻等における上下、左右の配置バランスの個性を分析することができる。例えば、具体的に、図１５Ｆでは、ユーザＵの眉下は、上下のバランスはほぼフィルム１１の基準である。また、ユーザＵの黒目や目尻等の位置の左右のバランスは、黒目と目尻が内寄りであることがわかる。
【００６３】
図１６Ａ乃至図１６Ｄは、アイバランスフィルム１１−Ｅ１乃至１１−Ｅ３及びリップバランスフィルム１１−Ｒの一例を示す図である。
ここで、図１６Ａは、フィルム１１におけるアイバランスフィルム１１−Ｅ１の一例であり、ユーザＵの目頭、黒目、目尻の横のバランスを判定するためのものである。図１６Ｂは、図１６Ａと同様にフィルム１１におけるアイバランスフィルム１１−Ｅ２の一例であり、ユーザＵの目と眉の間隔を判定するためのものである。図１６Ｃは、図１６Ａと同様にフィルム１１におけるアイバランスフィルム１１−Ｅ３の一例であり、目頭と目尻の角度を判定するためのものである。図１６Ｄは、リップバランスフィルム１１−Ｒの一例であり、唇の厚みを判定するためのものである。
【００６４】
図１７Ａ乃至図１７Ｃは、アイバランスフィルム１１−Ｅ１（目頭、黒目、目尻の横バランス）の使用例を示す図である。
即ち、図１７Ａ乃至図１７Ｃは、図１６Ａで例示したアイバランスフィルム１１−Ｅ１を用いて実際にユーザＵの目頭、黒目、目尻の横バランスを判定する一例である。
ここで、図１７Ａでは、図１６Ａのアイバランスフィルム１１−Ｅ１を用いてユーザＵの目頭、黒目、目尻の横バランスを判定している。例えば、具体的に、図１６Ａアイバランスフィルム１１−Ｅ１をユーザＵの顔の両目頭の中央に合わせる。すると、図１７Ａでは、両目頭間が図１６Ａのアイバランスフィルム１１−Ｅ１と一致するので、図１６Ａアイバランスフィルムの基準どおりである。また、両黒目については、両黒目共に内寄りであり、両黒目の間の幅は、図１６Ａのアイバランスフィルム１１−Ｅ１の基準より狭いことがわかる。両目尻については、両目尻共に内寄りであることがわかる。両目については、両目共に名の横幅が図１６Ａのアイバランスフィルム１１−Ｅ１の基準より狭いことがわかる。
図１７Ｂでは、図１６Ａのアイバランスフィルム１１−Ｅ１を用いてユーザＵの目尻と輪郭の幅を判定している。例えば、具体的に、図１６Ａのアイバランスフィルム１１−Ｅ１をユーザＵの右目の目尻に合わせる。すると、図１７Ｂにおいて、ユーザＵの右側の目尻と輪郭の幅は、黒目２個半分の幅であり、図１６Ａのアイバランスフィルム１１−Ｅ１の基準よりやや広いことがわかる。
図１７Ｃでは、図１７Ｂと同様に図１６Ａのアイバランスフィルム１１−Ｅ１を用いてユーザＵの目尻と輪郭の幅を判定している。例えば、具体的に、図１６Ａのアイバランスフィルム１１−Ｅ１をユーザＵの左目の目尻に合わせる。すると、図１７Ｃより、ユーザＵの左側の目尻と輪郭の幅は、黒目２個分の幅であり、図１６Ａのアイバランスフィルム１１−Ｅ１の基準と同じであることがわかる。
以上から、図１７Ｂと図１７Ｃから、ユーザＵの左右の目尻と輪郭の幅は異なることがわかる。
【００６５】
図１８は、アイバランスフィルム（目と眉の間隔）の使用例を示す図である。
即ち、図１８は、図１６Ｂのアイバランスフィルム１１−Ｅ２を用いて実際にユーザＵの目と眉の間隔を判定する図である。図１８では、図１６Ｂのアイバランスフィルム１１−Ｅ２を用いてユーザＵの目と眉の間隔を判定している。例えば、具体的に、図１６Ｂのアイバランスフィルム１１−Ｅ２の右側の黒丸部分をユーザＵの顔の右目の目頭に合わせる。すると、図１８では、目頭と眉頭下の間の幅は、図１６Ｂのアイバランスフィルム１１−Ｅ２と一致するので、図１６Ｂのアイバランスフィルム１１−Ｅ２の基準どおりである。また、黒目上と眉下の間の幅と目尻と眉尻の間の幅も、同様に、図１６Ｂのアイバランスフィルム１１−Ｅ２と一致するので、図１６Ｂのアイバランスフィルム１１−Ｅ２の基準どおりである。
また、左目についても同様に、図１６Ｂのアイバランスフィルム１１−Ｅ２の左側の黒丸部分をユーザＵの顔の左目の目頭に合わせる。すると、図１８では、目頭と眉頭下の間の幅は、図１６Ｂのアイバランスフィルム１１−Ｅ２より広いことがわかる。また、黒目上と眉下の間の幅も、同様に、図１６Ｂのアイバランスフィルム１１−Ｅ２より広いことがわかる。目尻と眉尻の間の幅については、図１６Ｂのアイバランスフィルム１１−Ｅ２と一致するので、図１６Ｂのアイバランスフィルム１１−Ｅ２の基準どおりである。
【００６６】
図１９Ａ、図１９Ｂは、アイバランスフィルム（目頭と目尻の角度）の使用例を示す図である。
即ち、図１９Ａ、図１９Ｂは、図１６Ｃを用いて実際にユーザＵの目と眉の間隔を判定する図である。
ここで、図１９Ａ、図１９Ｂでは、図１６Ｃのアイバランスフィルム１１−Ｅ３を用いてユーザＵの目頭と目尻の角度を判定している。例えば、具体的に、図１９Ａでは、図１６Ｃアイバランスフィルム１１−Ｅ３の右側の黒丸部分をユーザＵの顔の右目の目頭に合わせる。すると、ユーザＵの右目はやや上がり目であることがわかる。
同様に、図１９Ｂでは、図１６Ｃのアイバランスフィルム１１−Ｅ３の左側の黒丸部分をユーザＵの顔の左目の目頭に合わせる。すると、ユーザＵの左目は、図１６Ｃのアイバランスフィルム１１−Ｅ３と一致するので、図１６Ｃのアイバランスフィルム１１−Ｅ３の基準どおりである。
【００６７】
図２０は、リップバランスフィルム（唇の厚み）の使用例を示す図である。
即ち、図２０は、図１６Ｄのリップバランスフィルム１１−Ｒを用いて実際にユーザＵの唇の厚みを判定する図である。
図２０では、図１６Ｄのリップバランスフィルム１１−Ｒを用いてユーザＵの唇の厚みを判定している。例えば、具体的に、図２０では、図１６Ｄのリップバランスフィルム１１−ＲをユーザＵの口角の高さに合わせる。すると、ユーザＵの上唇の厚みは、図１６Ｄのリップバランスフィルム１１−Ｒの基準と比べて薄いことがわかる。また、ユーザＵの下唇の厚みは、図１６Ｄリップバランスフィルム１１−Ｒと一致するので、図１６Ｄのリップバランスフィルム１１−Ｒの基準どおりである。更に、ユーザＵの唇全体の厚みは、図１６Ｄのリップバランスフィルム１１−Ｒの基準と比べて薄いことがわかる。
【００６８】
以上、第１実施形態について説明した。
【００６９】
[第２実施形態]
上述の第１実施形態では、フィルム１１について説明した。
第２実施形態では、第１実施形態とは異なる実施形態として、サービス提供者端末１２で撮像した画像における画像処理について説明する。
第２実施形態では、第１実施形態とは異なり、フィルム１１を使用せず、撮像したユーザＵの画像と、後述する記憶部６０の顔個性ＤＢ２００に格納された顔分析新バランス基準とを比較、顔分析を行う。
【００７０】
図２１は、顔分析システムのうちサービス提供者端末１２のハードウェア構成の一例を示すブロック図である。
サービス提供者端末１２は、タブレット等の各種デバイスにより、適宜、構成されるものである。
サービス提供者端末１２は、ＣＰＵ（Ｃｅｎｔｒａｌ  Ｐｒｏｃｅｓｓｉｎｇ  Ｕｎｉｔ）５１と、ＲＯＭ（Ｒｅａｄ  Ｏｎｌｙ  Ｍｅｍｏｒｙ）５２と、ＲＡＭ（Ｒａｎｄｏｍ  Ａｃｃｅｓｓ  Ｍｅｍｏｒｙ）５３と、バス５４と、入出力インターフェース５５と、タッチ操作入力部５６と、表示部５７と、撮像部５８と、入力部５９と、記憶部６０と、通信部６１と、ドライブ６２を備えている。
【００７１】
ＣＰＵ５１は、ＲＯＭ５２に記録されているプログラム、又は、記憶部６０からＲＡＭ５３にロードされたプログラムに従って各種の処理を実行する。
ＲＡＭ５３には、ＣＰＵ５１が各種の処理を実行する上において必要な情報等も適宜記憶される。
【００７２】
ＣＰＵ５１、ＲＯＭ５２及びＲＡＭ５３は、バス５４を介して相互に接続されている。
このバス５４にはまた、入出力インターフェース５５も接続されている。入出力インターフェース５５には、タッチ操作入力部５６、表示部５７、撮像部５８、入力部５９、記憶部６０、通信部６１、ドライブ６２が接続されている。
【００７３】
タッチ操作入力部５６は、例えば表示部５７の表示面に積層される静電容量式又は抵抗膜式（感圧式）の位置入力センサにより構成され、タッチ操作がなされた位置の座標を検出する。
ここで、タッチ操作とは、タッチ操作入力部５６に対する物体の接触又は近接の操作をいう。タッチ操作入力部５６に対して接触又は近接する物体は、例えばサービス提供者の指やタッチペン等である。
表示部５７は、液晶等のディスプレイにより構成され、撮像部５８で撮像した画像等、各種画像を表示する。
撮像部５８は、サービス提供者端末１２に内蔵される１台以上のカメラ等で構成され、ユーザＵを撮像する。
入力部５９は、各種ハードウェア釦等で構成され、サービス提供者の指示操作に応じて各種情報を入力する。
記憶部６０は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部６１は、インターネットを含むネットワークを介して他の装置（例えば、テレビやＰＣ（Ｐｅｒｓｏｎａｌ  Ｃｏｍｐｕｔｅｒ））との間で行う通信を制御する。
【００７４】
ドライブ６２は、必要に応じて設けられる。ドライブ６２には磁気ディスク、光ディスク、光磁気ディスク、或いは半導体メモリ等からなり、リムーバブルメディア６３が適宜装着される。ドライブ６２によってリムーバブルメディア６３から読み出されたプログラムは、必要に応じて記憶部６０にインストールされる。また、リムーバブルメディア６３は、記憶部６０に記憶されている各種情報も、記憶部６０と同様に記憶することができる。
【００７５】
このように構成されたサービス提供者端末１２のハードウェアとソフトウェアとの協働により、顔分析の実行処理が可能になる。
ここで、顔分析の実行処理とは、サービス提供者端末１２により実行される処理であって、サービス提供者端末１２の撮像部５８で撮像した画像の情報から、ユーザＵの顔の特徴を取得、分析するまでの一連の処理をいう。
【００７６】
次に、図１の顔分析システムについて、このような顔分析の実行処理を実現するための機能的構成の一例について説明していく。
図２２は、顔分析システムのうちサービス提供者端末１２の機能的構成例の一例を示す機能ブロック図である。
【００７７】
サービス提供者端末１２のＣＰＵ５１においては、画像取得部１０１と、顔個性取得部１０２と、顔個性分析部１０３が機能する。
また、記憶部６０には、顔個性ＤＢ２００が備えられており、顔個性ＤＢ２００には、顔分析新基準に関する各種情報や、顔個性にあったメイクの方法やヘアデザインに関する各種情報が格納されている。
なお、顔分析新基準に関する各種情報、顔個性にあったメイクの方法やヘアデザインに関する各種情報等の顔個性ＤＢ２００に格納されている顔の個性に関する各種情報を「顔個性分析情報」と呼ぶ。
【００７８】
画像取得部１０１は、撮像部５８で撮像したユーザＵの顔に関する各種画像（以下、「顔画像」と呼ぶ）を取得する。
顔個性取得部１０２は、画像取得部１０１で取得された顔画像から、ユーザＵの顔の個性に関する各種情報を取得する。
具体的には、顔個性取得部１０２は、画像取得部１０１で取得された画像から、ユーザＵの顔の画像から、ユーザＵの顔のパーツである目、鼻、口等の位置、横幅等に関する情報を取得する。
即ち、顔個性取得部１０２は、画像取得部１０１で取得された画像から、ユーザＵの顔の画像から、ユーザＵの顔のパーツである目、鼻、口等の位置、横幅等に関する情報を取得して、顔の個性に関する情報（以下、「顔個性情報」と呼ぶ）として取得する。
なお、顔個性取得部１０２は、顔個性情報を画像データとして取得してもよいし、数値等で取得してもよい。
【００７９】
顔個性分析部１０３は、顔個性ＤＢ２００から、顔個性分析情報を取得する。そして、顔個性分析部１０３は、取得した顔個性分析情報及び顔個性取得部１０２で取得された顔個性情報に基づいて、ユーザＵの顔の個性を分析する。
具体的には、顔個性分析部１０３は、顔個性情報で特定されるユーザＵの輪郭、目、鼻、口等の位置、長さ、横幅等と、顔分析新基準における基準（輪郭、目、鼻、口等の位置、長さ、横幅等）と、を比較してユーザＵの顔分析を行う。
そして、顔個性分析部１０３は、この顔分析の結果に対して、顔個性ＤＢ２００からユーザＵの顔個性にあったメイクやヘアデザインの情報を取得し、ユーザＵの顔に合ったメイクやヘアデザインの情報を提案する。
【００８０】
表示部５７は、顔個性分析部１０３で行われた顔分析の結果を表示する。なお、表示部５７は、顔分析の結果だけでなく、例えば撮像部５８で撮像された画像等を表示してもよい。
これにより、本サービスの提供者は、ユーザＵに対して顔分析の結果等を速やかに提示できるため、メイクやヘアデザインのアドバイス等を効率よく実施することができる。
【００８１】
図２３は、サービス提供者端末１２の表示部５７に表示される画像の一例を示す図である。
図２３を見ると、上述の第１実施形態においてフィルム１１に印刷されていた各種情報（例えば、図１１に示すフィルム１１−Ｌや図１３Ａに示すフィルム１１−ＰＳであり、顔分析用情報）と、ユーザＵの顔の画像が、合わせて表示されている。
このように、図２３の例では、顔分析用情報をユーザＵの顔と合わせて表示させることで、ユーザＵの輪郭、目、鼻、口等の位置、長さ、横幅等と、顔分析新基準における基準（輪郭、目、鼻、口等の位置、長さ、横幅等）との比較を実現する。
換言すれば、図の２３の例では、事前に、ユーザＵの顔の画像とその他の顔分析用情報（例えば、図１５Ａ乃至Ｅを参照）との比較を行うことで、ユーザＵの顔の長さや顔の輪郭の横幅のパターンが事前に決定されていることが前提となっている。
そして、対象となっているユーザＵの顔の長さや顔の輪郭の横幅のパターンに最適な、顔分析用情報（例えば図１５Ｆを参照）が、適宜、採用されて表示されている。
【００８２】
以上本発明の一実施形態について説明したが、本発明は、上述の実施形態に限定されるものではなく、本発明の目的を達成できる範囲での変形、改良等は本発明に含まれるものである。
【００８３】
また例えば、上述の実施形態では、本サービスとして、ユーザＵ自らがフィルム１１を使用して顔分析を実施する顔分析の一例をあげて説明しているが、特にこれに限定されない。
例えば、本サービスの提供者が、フィルムを１１持ってユーザＵの顔に押し当てて顔分析を行ってもよいし、本サービスの提供者が、ユーザＵの顔に関する情報の入力を行ってもよい。
さらに言えば、本サービスは、美容専門学校の教育機関等の美容に関連するあらゆる場所で実施が可能である。換言すると、フィルム１１は、フィルム１１を実践ツールとして開発されたものであり、美容サロンや学校教育で特に容易に活用することができる。
【００８４】
具体的に、本サービスの方法は、以下の通りである。
ここで、本サービスの方法は、以下の通りである。
即ち、フィルム１１は、普遍のロジックを追求した所定の基準（顔分析新バランス基準）に基づく、実践ツールである。
本サービスの提供者は、このフィルム１１を関連して行われるカウンセリングに利用してもよいし、当該正確な顔分析を客観的に行うために、デジタル機器等を活用した写真を用いたカウンセリングを行ってもよい。
【００８５】
そして、本サービスの提供者は、所定の携帯端末で撮影した画像をその場でユーザＵに提示することでカウンセリングのパフォーマンス力を高め、視覚的に客観的な提案を即時行ってもよい。
さらに言えば、フィルム１１には、スケールが備えられていてもよい。
この場合、本サービスの提供者は、フィルム１１を利用して、顔の長さや顔幅の測定を行うこともできる。
【００８６】
また例えば、上述の実施形態では、特に言及していないが、本サービスの提供者は、本サービスの実施にあたり、チェックシートをつけることができる。
なお、チェックシートとは、フィルム１１を用いてユーザＵの顔分析の結果を記入するためのチェックシートである。
ここで、チェックシートの項目は、例えば、以下の項目を採用することができる。
（１）輪郭分析の結果：（「タイプ（番号）」）
（２）縦横バランス：（「面長」、「やや面長」、「基準」、「やや丸顔」、「丸顔」）  
（３）サイズ：（「顔の長さ（ｃｍ）」、「短い」、「やや短い」、「基準」、「やや長い」、「長い」）
（４）サイズ：（「顔幅（ｃｍ）」、「右面」「左面」、「両面幅」、「狭い」、「やや狭い」、「基準」、「やや広い」、「広い」）
（５）パーツの配置上下バランス（輪郭合わせ）：（「タイプ（番号）」）
（６）眉毛の上下配置：（左右の夫々について「高い」、「やや高い」、「基準」、「やや低い」、「低い」）
（７）黒目の上下位置：（左右の夫々について「高い」、「やや高い」、「基準」、「やや低い」、「低い」）
（８）小鼻の上下位置：（左右の夫々について「高い」、「やや高い」、「基準」、「やや低い」、「低い」）
（９）口（下唇）の上下位置：（左右の夫々について「高い」、「やや高い」、「基準」、「やや低い」、「低い」）
（１０）パーツ配置上下バランス（眉頭〜あご下合わせ）：（「タイプ（番号）」）
（１１）パーツの配置左右バランス：（「タイプ（番号）」）
（１２）目の横幅：（右目：「狭い」、「やや狭い」、「基準」、左目：「狭い」、「やや狭い」、「基準」）
（１３）目頭の位置：（右目：「内寄り」、「基準」、「外寄り」、左目：「内寄り」、「基準」、「外寄り」）
（１４）両目頭の間の幅：（「狭い」、「基準」、「広い」）
（１５）黒目の左右位置：（右黒目は：「内寄り」、「基準」、「外寄り」、左黒目：「内寄り」、「基準」、「外寄り」）
（１６）黒目の内側同士の間の幅：（「狭い」、「基準」、「広い」）
（１７）目尻の位置：（右目尻：「内寄り」、「基準」、「外寄り」、左目尻：「内寄り」、「基準」、「外寄り」）
（１８）目尻と輪郭の幅：（右：「狭い」、「基準」、「広い」、左：「狭い」、「基準」、「広い」）
（１９）小鼻の横幅：（「狭い」、「基準」、「広い」）
（２０）口の横幅：（「狭い」、「基準」、「広い」）
（２１）まぶたの広さ：（「狭い」、「基準」、「広い」）
（２２）目頭と眉頭下の間の幅：（右：「狭い」、「基準」、「広い」、左：「狭い」、「基準」、「広い」）
（２３）黒目上と眉下の間の幅：（右：「狭い」、「基準」、「広い」、左：「狭い」、「基準」、「広い」）
（２４）目尻と眉尻の間の幅：（右：「狭い」、「基準」、「広い」、左：「狭い」、「基準」、「広い」）
（２５）目頭と目尻の角度：（「高い」、「やや高い」、「基準」、「やや低い」、「低い」）
（２６）唇の厚み：（上唇の厚み：「薄い」「基準」「厚い」、下唇の厚み：「薄い」「基準」「厚い」、唇全体の厚み；「薄い」「基準」「厚い」）
【００８７】
また例えば、本サービスの提供者は、本サービスの提供にあたり、以下の眉の基準プロポーションを採用してもよい。
具体的には、「Ａ眉頭」、「Ｂ眉山」、「Ｃ眉尻」を眉の基準として採用してもよい。
ここで、「Ａ眉頭」とは、目頭と目頭より黒目４分の１個幅の垂直延長線上の間にある部分である。「Ｂ眉山」とは、黒目の外側と目尻の垂直延長線上の間にある部分である。「Ｃ眉尻」とは、口角と目尻と結んだ延長線上と、小鼻と目尻を結んだ延長線上の間にある部分である。
なお、眉頭と眉尻は、水平線上にある。そして、眉山は、眉の長さの３分の２の位置にある。
【００８８】
さらに、本サービスの提供者は、アイブロウメイクのデザインとして、以下のような類型を採用してもよい。
具体的に例えば、アイブロウメイクの形（描き方）は、コーナー型、ラウンド型、ストレート型の３つに分類される。夫々の形の印象と、額の広さ、眉と目の間隔（まぶたの広さ）や、原型の状態も考慮して、適した形（デザイン）をアドバイスするために、「アイブロウデザインフィルム」を活用することができる。
さらに具体的に、コーナー型、ラウンド型、ストレート型の夫々について説明する。
ストレート型は、例えば、「標準」「一文字眉」「八の字眉」の夫々のタイプがある。
ここで、「標準」は、眉山の高さを作らず、眉の上下のラインが平坦であり、ナチュラルな印象がある。これは、額の狭い人や眉と目の間隔（まぶた）が広い人に適している。
「一文字眉」は、細く直線的で水平な一文字の眉であり、地味で和風な印象がある。これは、額の狭い人や眉と目の間隔（まぶた）が広い人に適している。
「八の字眉」は、眉頭から眉尻の上のラインが八の字に細くなる眉であり、さみしげ、愛らしい印象がある。これは、額の狭い人や眉と目の間隔（まぶた）が広い人に適している。
コーナー型は、例えば、「標準」「眉山が高い」「太く長方形の眉」の夫々のタイプがある。
「標準」は、眉山の角があり、眉の上のラインが直線的な眉の形であり、きりっとした表情に見え、眉の形の基本とされる。
「眉山が高い」は、シャープでクールな印象がある。これは、額の狭い人、眉と目の間隔（まぶた）が広い人には適さない。
「太く長方形の眉」は、マニッシュで個性的、強い印象があり、眉と目の間隔（まぶた）が狭く見え、目の印象が鋭く感じられる。
ラウンド型は、例えば、「標準」「眉山が高い」「眉山が内寄り」の夫々のタイプがある。
「標準」は、眉山が角張らない、眉の上下のラインが曲線的な眉の形であり、ナチュラルでやわらかな表情に見える。
「眉山が高い」は、女性的で華やかな印象があり、額の狭い人、眉と目の間隔（まぶた）が広い人には適さない。
「眉山が内寄り」は、女性的で子供っぽい印象がある。また、日本古来から引き継がれる和装化粧の笹眉である。
そして、上述のアイブロウメイクのためのアイブロウデザインフィルムが存在してもよい。例えば、アイブロウデザインフィルムは、上述のコーナー型、ラウンド型、ストレート型の夫々の３つの型に更に夫々のタイプごとの合計９枚が存在する。また、アイブロウデザインフィルムには、３つの大きさのアイブロウデザイン（Ｍ、ＭＬ、Ｌ）が描かれている。
なお、上述のアイブロウデザインフィルムは、Ａ５サイズであり、ブラウン系とクレイ系の夫々がある。
アイブロウデザインフィルムの使用方法として、以下に説明する。
サービス提供者は、ユーザＵのヘアカラーや黒目の色に合わせてブラウン系のデザインフィルムか、グレイ系のデザインフィルムか選択する。
サービス提供者は、ユーザＵの９枚のフィルムを顔にあて、目幅や顔幅を考慮してそれぞれＭ、ＭＬ、Ｌからバランスのとれたサイズを眉位置に合わせて、ユーザＵに印象を確認してもらう。そして、サービス提供者は、それぞれの形の印象、額の広さ、眉と目との間隔（まぶたの広さ）や、原型の状態も考慮して、ユーザＵに適したアイブロウデザインをアドバイスすることができる。
【００８９】
また、例えば、図１１で例示したフィルム１１ーＬに印刷された顔の輪郭を示す基準曲線Ｒは、８本印刷しているが、これに限定されない。即ち、図１１で例示したフィルム１１−Ｌ顔の輪郭を示す基準曲線Ｒは、如何なる本数印刷しても構わない。
また、例えば、図１２Ａ、図１２Ｂで例示したフィルム１１の夫々に印刷された顔の輪郭を示す基準曲線Ｒは、これに限定されない。
即ち、図１２Ａ、図１２Ｂで例示したフィルム１１−ＷＳ、フィルム１１−ＷＬ４の顔の輪郭を示す基準曲線Ｒは、左右夫々３本以上でもそれ以下であってもよい。
【００９０】
また、例えば、図１２Ａ、図１２Ｂにおいて、フィルム１１−ＷＳ、フィルム１１−ＷＬ４を「顔の縦横バランス」を特定する種類のフィルムについて、８種類のフィルムの一例として、図１２Ａ、図１２Ｂでフィルム１１−ＷＳ、フィルム１１−ＷＬ４を例示しているが、上述のフィルムの種類は、８種類に限られない。
また、同様に、図１３Ａ、図１３Ｂにおいて、フィルム１１−ＰＳ、フィルム１１−ＰＬ４を「顔のパーツの配置バランス」を特定する種類のフィルムについて、８種類のフィルムの一例として、図１３Ａ、図１３Ｂでフィルム１１−ＰＳ、フィルム１１−ＰＬ４を例示しているが、上述のフィルムの種類についても、８種類に限られない。
【００９１】
また、例えば、図１４において例示した眉下の長さを特定するフィルム１１−Ｍに印刷された左眉ｍＬ及び右眉ｍＲの夫々が８個印刷されているが、これに限定されない。即ち、左眉ｍＬ及び右眉ｍＲの夫々は、如何なる本数印刷しても構わない。
【００９２】
また例えば、上述した一連の処理は、ハードウェアにより実行させることもできるし、ソフトウェアにより実行させることもできる。
換言すると、図４及び図１１の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図２２の例に限定されない。また、機能ブロックの存在場所も、図２２に特に限定されず、任意でよい。例えば上述の実施形態では、サービス提供者端末１２で機能している撮像部５８等を図２２で図示しないデジタルカメラ等に委譲してもよい。
また、１つの機能ブロックは、ハードウェア単体で構成してもよいし、ソフトウェア単体で構成してもよいし、それらの組み合わせで構成してもよい。
【００９３】
また例えば、一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであっても良い。
また、コンピュータは、各種のプログラムをインストールすることで、各種の機能を実行することが可能なコンピュータ、例えばサーバの他、スマートフォンやパーソナルコンピュータ、又は各種デバイス等であってもよい。
【００９４】
また例えば、このようなプログラムを含む記録媒体は、サービス提供者にプログラムを提供するために装置本体とは別に配布される図示せぬリムーバブルメディアにより構成されるだけでなく、装置本体に予め組み込まれた状態でサービス提供者に提供される記録媒体等で構成される。
【００９５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００９６】
以上を換言すると、本発明が適用される情報処理システムは、次のような構成を有していれば足り、各種各様な実施の形態を取ることができる。
即ち、本発明が適用されるフィルムは、
ユーザの顔を分析するフィルム（例えば図１のフィルム１１）であって、
黒目に対応する所定直径の円を単位円として、１以上の当該単位円に基づいて配置される、前記ユーザの両目と比較する第１の指標と、
を含めば足りる。
【００９７】
これにより、本サービスの提供者は、黒目の大きさと対応した第１の指標に基づいて、ユーザＵの顔を正確に分析することが可能となる。
【００９８】
また、本発明が適用されるフィルムは、
前記第１の指標を含むフィルムとは別のフィルムであって、前記ユーザの顔の長さをＮ段階（Ｎは１以上の整数値）で特定する種類の第１種フィルム（例えば図１５Ａのフィルム１１等）と、
前記第１の指標を含む、顔のパーツの配置バランスを特定する種類の第２種フィルムであって、前記Ｎ段階の顔の長さの夫々に対応するＮ種類の前記第２種フィルム（例えば図１５Ｄ等のフィルム１１）と、
を備えていてもよい。
【００９９】
これにより、本サービスの提供者は、前記Ｎ段階の顔の長さを考慮して、ユーザＵの顔を、より正確に分析することが可能となる。
【０１００】
また、本発明が適用されるフィルムは、
前記ユーザの顔の幅を特定する種類の第３種フィルムであって、前記Ｎ段階の顔の長さの夫々に対応するＮ種類の前記第３種フィルム（例えば図１５Ｂ等のフィルム１１）と、
をさらに備えていてもよい。
【０１０１】
これにより、本サービスの提供者は、前記Ｎ段階の顔の長さに対応する顔の幅を考慮して、ユーザＵの顔を、より正確に分析することが可能となる。
【０１０２】
また、本発明が適用されるフィルムは、
前記ユーザの眉下の長さを特定する種類の第４種フィルム（例えば図１５Ｄ等のフィルム１１）と、
をさらに備えていてもよい。
【０１０３】
これにより、本サービスの提供者は、ユーザＵの眉毛の長さを考慮して、ユーザＵの顔を、より正確に分析することが可能となる。
【０１０４】
また、本発明が適用される顔分析装置（例えば図２１のサービス提供者端末１２）は、
ユーザの顔を分析する顔分析装置であって、
黒目に対応する所定直径の円を単位円として、１以上の当該単位円に基づいて、前記ユーザの両目の間隔と、当該両目の夫々の幅のうち少なくとも一方を分析する分析手段（例えば図２２の顔個性分析部１０３）と、
を備えていてもよい。
【０１０５】
これにより、本サービスの提供者は、上述のフィルム１１を用いることなく、黒目の大きさと対応した第１の指標に基づいて、ユーザＵの顔を正確に分析することが可能となる。
【符号の説明】
【０１０６】
１・・・顔分析システム、１１・・・フィルム、１２・・・サービス提供者端末、２１・・・ホールドレール、２２・・・あご下ガイド、５１・・・ＣＰＵ、５７・・・表示部、５８・・・撮像部、５９・・・入力部、６０・・・記憶部、６１・・・通信部、１０１・・・画像取得部、１０２・・・顔個性取得部、１０３・・・顔個性分析部、２００・・・顔個性ＤＢ
【図１】
2019068872.tif 000003
【図２Ａ】
2019068872.tif 000004
【図２Ｂ】
2019068872.tif 000005
【図２Ｃ】
2019068872.tif 000006
【図３】
2019068872.tif 000007
【図４】
2019068872.tif 000008
【図５Ａ】
2019068872.tif 000009
【図５Ｂ】
2019068872.tif 000010
【図５Ｃ】
2019068872.tif 000011
【図６】
2019068872.tif 000012
【図７Ａ】
2019068872.tif 000013
【図７Ｂ】
2019068872.tif 000014
【図８】
2019068872.tif 000015
【図９】
2019068872.tif 000016
【図１０】
2019068872.tif 000017
【図１１】
2019068872.tif 000018
【図１２Ａ】
2019068872.tif 000019
【図１２Ｂ】
2019068872.tif 000020
【図１３Ａ】
2019068872.tif 000021
【図１３Ｂ】
2019068872.tif 000022
【図１４】
2019068872.tif 000023
【図１５Ａ】
2019068872.tif 000024
【図１５Ｂ】
2019068872.tif 000025
【図１５Ｃ】
2019068872.tif 000026
【図１５Ｄ】
2019068872.tif 000027
【図１５Ｅ】
2019068872.tif 000028
【図１５Ｆ】
2019068872.tif 000029
【図１６Ａ】
2019068872.tif 000030
【図１６Ｂ】
2019068872.tif 000031
【図１６Ｃ】
2019068872.tif 000032
【図１６Ｄ】
2019068872.tif 000033
【図１７Ａ】
2019068872.tif 000034
【図１７Ｂ】
2019068872.tif 000035
【図１７Ｃ】
2019068872.tif 000036
【図１８】
2019068872.tif 000037
【図１９Ａ】
2019068872.tif 000038
【図１９Ｂ】
2019068872.tif 000039
【図２０】
2019068872.tif 000040
【図２１】
2019068872.tif 000041
【図２２】
2019068872.tif 000042
【図２３】
2019068872.tif 000043